(57)【要約】【課題】可変反射部の透明状態と鏡面状態とを切り替えることで、照射方向を変化する配光可変式照明器具を提供する。【解決手段】透明状態と鏡面状態とを切り替えることができる可変反射部３と、光源２とを有し、前記光源３からの光の光軸方向に前記可変反射部３が複数配置されており、前記可変反射部３の透明状態と鏡面状態とを切り替えることで照射方向を変化させる。また、前記光軸に対し、前記複数の可変反射部３が異なる角度で配置されている。【選択図】図１
2012094332.tif 000002
【特許請求の範囲】
【請求項１】
透明状態と鏡面状態とを相互に切り替えることができる可変反射部、及び光源を有し、
前記光源の光軸方向に前記可変反射部が複数配置されており、
前記可変反射部の透明状態と鏡面状態とを相互に切り替えることができる制御部を有する
配光可変式照明器具。
【請求項２】
前記光軸に対し、前記複数の可変反射部が異なる角度で配置されている
ことを特徴とする請求項１記載の配光可変式照明器具。
【請求項３】
前記複数配置された可変反射部の組を複数組有し、
前記光軸を変えることで、前記複数組のいずれかの組を選択できる
ことを特徴とする請求項１又は２記載の配光可変式照明器具。
【請求項４】
前記光源と前記複数の可変反射部との間に、前記光源からの光を屈折又は反射させる光学部材が配置されており、
前記光学部材により、前記複数の可変反射部が配置された複数組のいずれかの組を選択するものである
ことを特徴とする請求項３記載の配光可変式照明器具。
【請求項５】
前記光源からの光を移動させる駆動手段が備えられており、
前記駆動手段により、前記複数の可変反射部のいずれかの組を選択するものである
ことを特徴とする請求項３又は４記載の配光可変式照明器具。
【発明の詳細な説明】
【技術分野】
【０００１】
本願発明は、透明状態と鏡面状態とを相互に切り替えることができる可変反射部及び、光源を有する配光可変式照明器具に関するものである。
【背景技術】
【０００２】
従来から、特許文献１に示されるような調光材料を用いた照明装置が知られている。この照明装置は、鏡面状態と透明状態とを相互に物性変換する調光ミラー層を備えている。この調光ミラー層は、印加電圧が制御されることで、鏡面状態と透明状態とが相互に物性変換される希土類金属の水素化物を含むものである。調光ミラー層が透明状態のときには、常態における照射状態が確保される。一方、調光ミラー層が鏡面状態のときには、鏡面反射により照射範囲が制御され、常態とは異なる照射状態が得られる。
【先行技術文献】
【特許文献】
【０００３】
【特許文献１】特開２００５−５６７０６号公報
【発明の概要】
【発明が解決しようとする課題】
【０００４】
しかしながら、上記特許文献１に示された調光材料を用いた照明装置にあっては、調光ミラー層が１つしか配置されていない。そのため、調光材料が鏡面状態のときには、光は鏡面反射され、常態とは異なる照射状態が得られるに過ぎない。つまり、照射方向は２方向のみである。
【０００５】
一方、調光ミラー層が１つ配置されているだけで、３以上の照射方向が確保されるためには、可変反射部の向き、若しくは照明装置の向きが変化される必要がある。この場合、可変反射部の向き、若しくは照明装置の向きを変化させる機構が必要となり、複雑な機構を有する照明装置となる。
【０００６】
本願発明は、上記背景技術に鑑みてなされたもので、その課題は、簡易な構造で、３以上の照射方向を得ることができる配光可変式照明器具を提供することである。
【課題を解決するための手段】
【０００７】
上記課題を解決するために、本願発明の配光可変式照明器具では、透明状態と鏡面状態とを相互に切り替えることができる可変反射部、及び光源を有し、前記光源の光軸方向に前記可変反射部が複数配置されており、前記可変反射部の透明状態と鏡面状態とを相互に切り替えることができる制御部を有するものである。
【０００８】
また、前記光軸に対し、前記複数の可変反射部が異なる角度で配置されていることが好ましい。
【０００９】
また、前記光源と前記複数の可変反射部との間に、前記光源からの光を屈折又は反射させる光学部材が配置されており、
前記光学部材により、前記複数の可変反射部が配置された複数組のいずれかの組を選択することが好ましい。
【００１０】
また、前記光源からの光を移動させる駆動手段が備えられており、前記駆動手段により、前記複数の可変反射部のいずれかの組を選択することが好ましい。
【発明の効果】
【００１１】
本願発明の配光可変式照明器具は、簡易な構造で、３以上の照射方向を得ることができる。
【図面の簡単な説明】
【００１２】
【図１】図１は、本願発明の第１の実施形態に係る（ａ）配光可変式照明器具の斜視図（ｂ）配光可変式照明器具の照射領域を示す概略図
【図２】図２は、本願発明の第２の実施形態に係る（ａ）配光可変式照明器具の断面図（ｂ）照射領域を示す概略図
【図３】図３は、本願発明の第３の実施形態に係る配光可変式照明器具の（ａ）斜視図（ｂ）下面図
【図４】図４は、本願発明の第３の実施形態に係る配光可変式照明器具による照射領域を示す概略図
【発明を実施するための形態】
【００１３】
［第１の実施形態］
本願発明の第１の実施形態に係る配光可変式照明器具１について、図１（ａ）、（ｂ）に基づいて説明する。図１は、本願発明の第１の実施形態に係る（ａ）配光可変式照明器具の斜視図（ｂ）配光可変式照明器具の照射領域を示す概略図である。本実施形態の配光可変式照明器具１は、透明状態と鏡面状態とを相互に切り替えることができる可変反射部３Ａと可変反射部３Ｂ、及び光源２を有し、光源２の光軸方向に可変反射部３Ａと可変反射部３Ｂとが配置されており、可変反射部３Ａと可変反射部３Ｂとのそれぞれの透明状態と鏡面状態とを相互に切り替えることができる制御部を有するものである。
【００１４】
また、光軸に対し、複数の可変反射部３が異なる角度で配置されている。
【００１５】
なお、同じ数字で表されたものは同じ構成要素を有し、互いに区別しない場合には、符号の数字部分だけで示すものとする。
【００１６】
なお、光源２の光軸方向とは、光源２から出射した直後の光軸の方向である。したがって、可変反射部３、反射部５若しくは光学部材７により、光軸の方向が変化した場合、光源２の光軸方向とは、その変化した光軸の方向ではない。
【００１７】
より詳細には下記の通りである。
【００１８】
光源２には、蛍光灯やＬＥＤ、有機ＥＬ等が用いられる。可変反射部３Ａと可変反射部３Ｂとのそれぞれには、調光ミラーが用いられる。調光ミラーには、希土類金属の水素化物からなる薄膜であるマグネシウム・ニッケル系合金薄膜が用いられる。水素化物が脱水素化されることによって、調光ミラーの金属状態が変化する。この金属状態の変化によって、透明状態と鏡面状態とが相互に切り替えられる。
【００１９】
可変反射部３Ａと可変反射部３Ｂとのそれぞれについて、透明状態と鏡面状態とを相互に切り替える手段として、制御部６が備えられる。具体的には、印加電圧によって水素イオンが移動させられるエレクトロクロミック方式の制御部６が備えられる。なお、水素ガスと酸素ガスとが、交互に可変反射部３に曝されるガスクロミック方式の制御部６が備えられてもよい。可変反射部３が水素ガスに曝されると、可変反射部３は鏡面状態から透明状態に切り替えられる。一方、可変反射部３が酸素ガスに曝されると、可変反射部３は透明状態から鏡面状態に切り替えられる。
【００２０】
可変反射部３Ａと可変反射部３Ｂとのうち、任意の一の可変反射部３で光源２からの光が反射されたとき、光源２からの光が他の可変反射部３で反射させたときとは異なる方向を照射するように、可変反射部３Ａと可変反射部３Ｂとがそれぞれ配置されている。具体的には、光源２の光軸に対して、可変反射部３Ａと可変反射部３Ｂとが、それぞれ異なる角度で配置されている。つまり、光源２の光軸に対して、可変反射部３Ａと可変反射部３Ｂとが、平行でない角度で配置されている。
【００２１】
可変反射部３Ａと可変反射部３Ｂとのそれぞれが、透明状態と鏡面状態とを相互に切り替えられることで、配光可変式照明器具１は、照射方向を変化させることができる。
【００２２】
具体的には、可変反射部３Ａが鏡面状態のときには、光源２からの光は可変反射部３Ａで反射され、照射領域４Ａを照射する。可変反射部３Ａが透明状態のときには、光源２からの光は可変反射部３Ａを透過し、可変反射部３Ｂに向かう。可変反射部３Ｂが鏡面状態のとき、光源２からの光は可変反射部３Ｂで反射され、照射領域４Ｂを照射する。一方、可変反射部３Ａが透明状態であって、可変反射部３Ｂも透明状態のとき、光源２からの光は可変反射部３Ａと可変反射部３Ｂとを透過し、照射領域４Ｚを照射する。このように可変反射部が２つ（可変反射部３Ａと可変反射部３Ｂ）配置されることで、３方向の照射方向が得られる。
【００２３】
なお、可変反射部３Ａと可変反射部３Ｂとのそれぞれが、光源２の光軸に対して同じ角度で配置されても、３方向の照射方向が得られる。
【００２４】
［第２の実施形態］
次に、本願発明の第２の実施形態に係る配光可変式照明器具１について、図２（ａ）、（ｂ）に基づいて説明する。図２は、本願発明の第２の実施形態に係る（ａ）配光可変式照明器具の断面図（ｂ）照射領域を示す概略図である。本実施形態における、配光可変式照明器具１は、一般家庭等で天井に設けられて使用されるものである。
【００２５】
本実施形態においては、配光可変式照明器具１は、光源２と可変反射部３Ａ〜３Ｄと反射部５Ａとを有している。なお、第１の実施形態において説明した内容は省略する。例えば、実際には設けられているが、制御部６は図示していない。
【００２６】
可変反射部３Ａ〜３Ｄは、下方を照射できるように配置される。さらに、光源２方向に可変反射部３Ａ〜３Ｄは傾けられている。光源２から遠くに配置されている可変反射部３ほど、光源２の光軸に対して、可変反射部３Ａ〜３Ｄが垂直に配置された状態から、より大きく傾けられている。具体的には、可変反射部３Ｄ、可変反射部３Ｃ、可変反射部３Ｂ、可変反射部３Ａの順で、光源２から遠くに配置されており、大きく傾けられている。
【００２７】
また、光源２の光軸方向であって、可変反射部３Ａ〜３Ｄより、光源２から離れた位置に反射部５Ａが配置される。このように反射部５Ａが配置されることで、可変反射部３Ａ〜３Ｄを透過した光源２からの光は、反射部５Ａで反射される。また、可変反射部３Ｄよりも、光源２の光軸に対して、反射部５Ａが垂直に配置された状態から、大きく傾けられている。
【００２８】
なお、反射部５Ａとしては、例えば、金属反射板、乳白色塗装反射板等が用いられる。
【００２９】
可変反射部３Ａが鏡面状態のときには、光源２からの光は可変反射部３Ａで反射され、照射領域４Ａを照射する。可変反射部３Ａが透明状態のときには、光源２からの光は可変反射部３Ａを透過し、可変反射部３Ｂに向かう。可変反射部３Ｂが鏡面状態のとき、光源２からの光は可変反射部３Ｂで反射され、照射領域４Ｂを照射する。可変反射部３Ａが透明状態であって、可変反射部３Ｂも透明状態のときには、光源２からの光は可変反射部３Ａと可変反射部３Ｂとを透過し、可変反射部３Ｃに向かう。可変反射部３Ｃが鏡面状態のとき、光源２からの光は可変反射部３Ｃで反射され、照射領域４Ｃを照射する。可変反射部３Ａ〜３Ｃが透明状態であって、可変反射部３Ｄが鏡面状態であるとき、光源２からの光は可変反射部３Ｄで反射され、照射領域４Ｄを照射する。可変反射部３Ａ〜３Ｄが透明状態であるときは、光源２からの光は反射部５Ａで反射され、照射領域４Ｙを照射する。
【００３０】
［第３の実施形態］
次に、本願発明の第３の実施の形態に係る配光可変式照明器具１について、図３（ａ）、（ｂ）、図４に基づいて説明する。図３は、本願発明の第３の実施形態に係る配光可変式照明器具１の（ａ）斜視図（ｂ）下面図である。図４は、本願発明の第３の実施形態に係る配光可変式照明器具１による照射領域を示す概略図である。本実施形態の図３記載の配光可変式照明器具１は、複数配置された可変反射部の組を複数組有し、光軸を変えることで、複数組のいずれかの組を選択できる。なお、第１の実施形態、第２の実施形態において説明した内容は省略する。例えば、制御部６は、実際には設けられているが、図示していない。
【００３１】
また、光源２と複数の可変反射部３との間に、光源２からの光を屈折させる光学部材７が配置されており、光学部材７により、複数の可変反射部３が配置された複数組のいずれかの組を選択するものである。
【００３２】
また、光源２を移動させる駆動手段８が備えられており、駆動手段８により、光源２からの光を移動させることで、複数の可変反射部３が配置された複数組のいずれかの組を選択するものである。
【００３３】
より詳細には、本実施形態においては、光源２から近い順に、可変反射部３Ａ、可変反射部３Ｂ、反射部５Ａが、それぞれ一直線上に配置されている。さらに、光源２の光軸方向であって、可変反射部３Ａと可変反射部３Ｂと反射部５Ａとの図３右側に、光源２から近い順に、可変反射部３Ｅ、可変反射部３Ｆ、反射部５Ｂが、それぞれ一直線上に配置されている。さらに、光源２の光軸方向であって、可変反射部３Ａと３Ｂ反射部５Ａとの図３左側に、光源２から近い順に、可変反射部３Ｇ、可変反射部３Ｈ、反射部５Ｃが、それぞれ一直線上に配置されている。さらに、光源２と、可変反射部３Ａ〜３Ｂ、３Ｅ〜３Ｈとの間に光学部材７が設けられている。さらに、駆動手段８を、光源２の図３右側に設け、駆動手段８を駆動させることで、光源２が移動されるようにしている。
【００３４】
なお、光学部材７として、光学ガラスが用いられる。
【００３５】
可変反射部３の傾きは、第２の実施形態の場合と同様である。つまり、可変反射部３Ａと可変反射部３Ｂと反射部５Ａとは、下方を照射できるように配置される。さらに、光源２方向に、可変反射部３Ａと可変反射部３Ｂと反射部５Ａとは、傾けられている。光源２から遠くに配置されている可変反射部３と反射部５Ａほど、光源２の光軸に対して、垂直に配置された状態から、より大きく傾けられている。具体的には、反射部５Ａ、可変反射部３Ｂ、可変反射部３Ａの順で、光源２から遠くに配置されており、大きく傾けられている。
【００３６】
なお、可変反射部３Ｅと可変反射部３Ｆと反射部５Ｂとも、可変反射部３Ａと可変反射部３Ｂと反射部５Ａと同様である。さらには、可変反射部３Ｇと可変反射部３Ｈと反射部５Ｃとも、可変反射部３Ａと可変反射部３Ｂと反射部５Ａと同様である。
【００３７】
より詳細には、駆動手段８により、光源２が、光源２の光軸に対して垂直方向にスライド移動され、光源２からの光は光学部材７のＡに入射する。Ａは、光源２の光が通過したとき、可変反射部３Ｇに入射する位置である。そのため、光源２からの光は、光部材７で屈折し、光源２からの光は可変反射部３Ｇに向かう。可変反射部３Ｇが鏡面状態のとき、光源２からの光は、可変反射部３Ｇで反射し、照射領域４Ｇを照射する。照射領域については、図４に記載している。可変反射部３Ｇが透明状態のときには、光源２からの光は可変反射部３Ｇを透過して、可変反射部３Ｈに向かう。可変反射部３Ｈが鏡面状態のとき、光源２からの光は可変反射部３Ｈで反射され、照射領域４Ｈを照射する。可変反射部３Ｇが透明状態であって、可変反射部３Ｈも透明状態のときには、光源２からの光は、可変反射部３Ｇと可変反射部３Ｈとを透過して、反射部５Ｃに向かい、光源２からの光は反射部５Ｃで反射され、照射領域４Ｗを照射する。
【００３８】
光源２からの光が、光学部材７のＢに入射されると、光源２からの光は可変反射部３Ａに向かう。Ｂは、光源２の光が可変反射部３Ａに入射する位置である。そのため、可変反射部３Ａが鏡面状態のとき、光源２からの光は可変反射部３Ａで反射し、照射領域４Ａを照射する。可変反射部３Ａが透明状態のときには、光源２からの光は可変反射部３Ｂに向かう。可変反射部３Ｂが鏡面状態のとき、光源２からの光は可変反射部３Ｂで反射し、照射領域４Ｂを照射する。可変反射部３Ａが透明状態であって、可変反射部３Ｂも透明状態のときには、光源２からの光は反射部５Ａに向かい、光源２からの光は反射部５Ａで反射され、照射領域４Ｙを照射する。
【００３９】
また、同様に光源２からの光が光学部材７のＣに入射されると、光源２からの光は可変反射部３Ｅに向かう。Ｃは、光源２の光が可変反射部３Ｅに入射する位置である。そのため、可変反射部３Ｅが鏡面状態のとき、光源２からの光は可変反射部３Ｅで反射し、照射領域４Ｅを照射する。可変反射部３Ｅが透明状態のときには、光源２からの光は可変反射部３Ｆに向かう。可変反射部３Ｅが透明状態であって、可変反射部３Ｆが鏡面状態のとき、光源２からの光は可変反射部３Ｆで反射し、照射領域４Ｆを照射する。可変反射部３Ｅが透明状態であって、可変反射部３Ｆも透明状態のときには、光源２からの光は反射部５Ｂに向かい、反射部５Ｂで反射され、照射領域４Ｘを照射する。
【００４０】
光源２が移動されることで、光学部材７への入射位置が変化されるように、配光可変式照明器具１を設計すると、光源２からの光はより広範囲を照射できる。したがって、配光可変式照明器具１は、小型で、かつ広範囲を照射することができるものとなる。
【００４１】
なお、光源２と複数の可変反射部３との間に、光学部材７が複数配置されてもよい。光学部材７が複数配置されることで、配光可変式照明器具１は、さらに広範囲を照射することができる。
【００４２】
また、光源２の移動は、駆動手段８により光源２の光軸に対して垂直方向にスライド移動されるだけでなく、例えば駆動手段８により光源２の向きが変えられてもよい。この場合、光源２が設置されている場所で、光源２の光軸方向が動かされるので、配光可変式照明器具１がより小型化される。
【００４３】
また、光源２は動かされずに、光学部材７が移動させられることで、複数の可変反射部３が配置された複数組のいずれかの組が選択されてもよい。
【００４４】
また、光学部材７で光源２からの光が反射されることで、複数の可変反射部３が配置された複数組のいずれかの組が選択されてもよい。
【００４５】
このとき、光学部材７として、金属反射板や乳白色塗装反射板等の反射部材が用いられる。
【００４６】
また、駆動手段８により光源２が移動されなくても、光源２が３つ配置されることで、複数の可変反射部３が配置された複数組のいずれかの組が選択されてもよい。
【００４７】
また、光学部材７が設けられず、光源２を３つ配置し、それぞれの光源２からの光が可変反射部３に直接入射され、複数配置された可変反射部３の複数組のいずれかの組が選択されてもよい。
【符号の説明】
【００４８】
１  配光可変式照明器具
２  光源
３  可変反射部
４  照射領域
５  反射部
６  制御部
７  光学部材
８  駆動手段
【図１】
2012094332.tif 000003
【図２】
2012094332.tif 000004
【図３】
2012094332.tif 000005
【図４】
2012094332.tif 000006